(57)【要約】【課題】  良好なストレッチ効果を得ることができる健康器具を提供する。【解決手段】  底座１０と連接座２０と活動座３０から構成されている。底座１０は、前縁部の上方に凸耳部を有し、連接ユニットにより連接座２０の前端に連接することで固定連接箇所（Ａ）を構成する。連接座２０は、後端部の自由端が連接ユニット２１により活動座３０の底端に連接することで活動連接箇所（Ｂ）を構成する。活動座３０は、背部をガイド体とするか、背部に増設されている補助パイプ３１をガイド体として底座１０の後端上方の誘導ローラー１３に突き当たらせることで支持箇所（Ｃ）を構成する。連接座２０は前端の固定連接箇所（Ａ）を支点として活動座の背部ガイド体と誘導ローラー１３とを相対的に運動させ、連接座２０と活動座３０は活動連接箇所（Ｂ）を回転中心としてΛ型及びＶ型の往復交差運動を形成する。【選択図】    図１
0003115112.tif 000002
【実用新案登録請求の範囲】
【請求項１】
底座と、連接座と、活動座と、から構成され、
底座は前縁部の上方に凸耳部を有し、連接ユニットにより底座の上方に位置する連接座の前端に連接することで固定連接箇所（Ａ）を構成し、連接座は後端部の自由端が連接ユニットにより活動座の底端に連接することで活動連接箇所（Ｂ）を構成し、活動座は背部をガイド体とするか、背部に増設されている補助パイプをガイド体として底座の後端上方の誘導ローラーに突き当たらせることで支持箇所（Ｃ）を構成し、
上述のユニットの組成により、連接座は前端の固定連接箇所（Ａ）を支点として活動座の背部ガイド体と誘導ローラーとを相対的に運動させ、連接座と活動座は活動連接箇所（Ｂ）を回転中心としてΛ型及びＶ型の往復交差運動を形成可能であり、腹部または腰部などの筋肉美を作って背骨を伸ばす効果を達成可能となることを特徴とする健康器具。
【請求項２】
底座は、前方にＵ型の角度調整座を有し、角度調整座は内部が固定パイプに連接し、固定パイプは上端部に延伸パイプが被せられ、延伸パイプは前上方に伸縮パイプを有し、伸縮パイプは上端部にクランクを有することを特徴とする請求項１に記載の健康器具。
【請求項３】
底座は、上にバーを二つ有し、連接座と活動座とは表面にクッションを有し、連接箇所に延伸棒が形成されてマッサージローラーを有し、活動座は上方にハンドルバーを二つ有することを特徴とする請求項１に記載の健康器具。
【請求項４】
固定パイプの連接端は、調整座における固定孔と差込ピンにより角度または折畳状態を調整し、延伸パイプは上に固定パイプと伸縮パイプの長さを調整するための第一回転つまみと第二回転つまみとを有し、その前端に横棒を有することを特徴とする請求項２に記載の健康器具。
【請求項５】
底座と延伸パイプは、底面に着地棒を数本有することで、地面に器具の本体をしっかり支持して安定させることを特徴とする請求項２に記載の健康器具。
【請求項６】
連接座と底座との間には、固定装置を有することを特徴とする請求項１に記載の健康器具。
【考案の詳細な説明】
【技術分野】
【０００１】
本考案は、健康器具に関し、特に、身体の背骨を伸展運動させることで、腹部、腰部または脚部などの筋肉美を作ると同時に、多種の機能を発揮することが可能である健康器具に関するものである。
【背景技術】
【０００２】
現代人は、生活や仕事の形態の変化に伴い、長期間机に向かうことが多い。しかし、長期間にわたりよくない姿勢を保つと、背骨に大きな負担をかけ、背骨を傷めてしまう。また、現代人は、あまりに多忙なため、室外に出て運動をする機会が極めて少なく、背骨を適度に伸ばして体を楽にすることもできない。したがって、背骨を伸ばせるように設計された健康器具に頼るほかない。
【０００３】
また、市販の健康器具は、シート部と背部の相対的に伸ばせる角度が１８０度以下であり、その構造は背骨を伸ばすために理想的なものではないため、背骨を完全に伸ばすことは不可能である。したがって、その効果は限定されている。
現代人が体の背骨を伸ばす健康器具に頼る傾向が著しくなっていることに対し、本考案者は長期にわたって健康器具の設計と製造に携わった経験により本考案を完成させた。
【考案の開示】
【考案が解決しようとする課題】
【０００４】
本考案の主な目的は、身体をリズミカルに伸展運動させることで、腹部、腰部または脚部などの筋肉美を作ることが可能である健康器具を提供することである。
本考案のもう一つの目的は、背骨を１８０度以上伸ばし、背部を弓状に湾曲させることで、良好なストレッチ効果を得ることが可能である健康器具を提供することである。
【０００５】
本考案のまたもう一つの目的は、両手による胸の拡縮運動及び脚による回転運動が可能である健康器具を提供することである。
本考案のまたもう一つの目的は、多種の機能性を有し、かつ収納する際に、大きな空間を占めない健康器具を提供することである。
【課題を解決するための手段】
【０００６】
上述の目的を達成するために、本考案による健康器具は、底座と連接座と活動座から構成される。その特徴は、下記の通りである。
底座は前縁部の上方に凸耳部を有し、かつ連接ユニットにより底座の上方に位置する連接座の前端に連接することで固定連接箇所（Ａ）を構成し、連接座は後端部の自由端が連接ユニットにより活動座の底端に連接することで活動連接箇所（Ｂ）を構成し、活動座は背部をガイド体とするか、背部に増設されている補助パイプをガイド体として底座の後端上方の誘導ローラーに突き当たらせることで支持箇所（Ｃ）を構成する。
【０００７】
また、上述のユニットの組成により、連接座は前端の固定連接箇所（Ａ）を支点として活動座の背部ガイド体と誘導ローラーとを相対的に運動させることで、連接座と活動座は活動連接箇所（Ｂ）を回転中心としてΛ型及びＶ型の往復交差運動を形成することが可能である。これにより、腹部または腰部などの筋肉美を作って背骨を伸ばす効果を達成することが可能となる。
【考案を実施するための最良の形態】
【０００８】
図１から図４に示すように、本考案の一実施例による健康器具は、底座１０と連接座２０と活動座３０から構成される。その特徴は、下記の通りである。
底座１０は地面に平行して据えられることが可能であり、前縁部の上方に凸耳部１１を有し、かつ連接ユニット１２により底座１０の上方に位置する連接座２０の前端に連接することで固定連接箇所（Ａ）を構成する。連接座２０は、後端部の自由端が連接ユニット２１により活動座３０の底端に連接することで活動連接箇所（Ｂ）を構成する。活動座３０は、背部をガイド体とするか、活動座３０の背部に増設されている補助パイプ３１をガイド体として底座１０の後端上方の誘導ローラー１３に突き当たらせることで支持箇所（Ｃ）を構成する。
【０００９】
また、底座１０は前方にＵ型の角度調整座４０を有し、角度調整座４０は内部が固定パイプ５０に連接し、固定パイプ５０は上端部に延伸パイプ６０が被せられ、延伸パイプ６０は前上方に伸縮パイプ７０を有し、延伸パイプ６０は左右両側に脚をかけるための横棒６１を有し、伸縮パイプ７０は端部にクランク８０を有する。
【００１０】
また、上述のユニットの組成により、連接座２０は前端の固定連接箇所（Ａ）を支点として活動座３０の背部ガイド体と誘導ローラー１３とを相対的に運動させることで、連接座２０と活動座３０は活動連接箇所（Ｂ）を回転中心としてΛ型及びＶ型の往復交差運動を形成することが可能である。これにより、腹部または腰部などの筋肉美を作って背骨を伸ばす効果を達成することが可能となる。
【００１１】
図３と図４に示すように、本実施例の連接座２０と活動座３０は、固定連接箇所（Ａ）、活動連接箇所（Ｂ）及びガイド体と誘導ローラー１３から構成される支持箇所（Ｃ）とを組み合わせ、これらにより生じる効果を利用することにより、Λ型及びＶ型の往復交差運動を形成することが可能である。また、図３に示すように、活動座３０は、背部に補助パイプ３１を有し、間接で補助パイプ３１をガイド体として誘導ローラー１３に対して相対的に運動させる。また、補助パイプ３１が円弧形であれば、よりいっそう相対的な運動をスムーズにすることが可能である。
【００１２】
また、活動座３の背部をガイド体として誘導ローラー１３に突き当たらせ、背部の支持区域（Ｗ）をガイド範囲として誘導ローラー１３に対して相対的に運動させることで、Λ型及びＶ型の往復交差運動を形成することが可能である。
【００１３】
また、本実施例の底座１０は、左右両側にバー１４を二つ有するが、特に限定されていない。連接座２０と底座１０との間には、固定装置２３を有する。固定装置２３は、連接座２０の底面に固定されるΠ形塊部２３１と、底座１０を貫通する固定ピン２３２から構成されるが、特に限定されていない。連接座２０と活動座３０は、それぞれ表面にクッション２２とクッション３２を有し、連接ユニット２１において延伸棒を形成し、かつその棒にマッサージローラー２２を有する。また、活動座３０は、上方の両側にハンドルバー３３を二つ有する。
【００１４】
また、固定パイプ５０は調整座４０における固定孔４１と差込ピン４２により角度または折畳状態を調整し、延伸パイプ６０は前後両端に固定パイプ５０と伸縮パイプ７０の長さを調整してこれらをしっかり締めるための第一回転つまみ６２と第二回転つまみ６３とを有する。これにより、身長の異なる使用者に適用することが可能となる。
【００１５】
また、底座１０と延伸パイプ６０は、底面に数本の着地棒１５と着地棒６４とを有することで、地面に器具の本体をしっかり支持して安定させる。着地棒１５と着地棒６４は、必ずしも図に示すような横棒であるとは限らない。着地棒１５と着地棒６４の両側を下向きに伸ばして地面に支持可能なフレームを形成することで、器具の全体を高くすることが可能である。したがって、本実施例による健康器具は、地面に据えて使用するのにも、地面から離れるように据えて使用するのにも適用することが可能である。
【００１６】
図５に示すように、まず下半身を安定させるように横棒６１に脚部をかけ、腰の力を利用して、底座１０の誘導ローラー１３に伴って活動座３０の補助パイプ３１を相対的に運動させ、滑らかに移動させることで、連接座２０と活動座３０とをΛ型の形態に現れさせる。続いて、体をリラックスして手でハンドルバー３３を握り、横棒６１に脚をかけて腹部と腰部の力を利用し、底座１０の誘導ローラー１３に伴って活動座３０の補助パイプ３１を相対的に運動させ、滑らかに移動させることで、身体を座るような状態に現れさせる。続いて、上半身を前に曲げることで、連接座２０と活動座３０とをＶ型の形態に現れさせる。これにより、前述の動作を繰り返せば、大量の体力を消耗することなく、使用者の背骨を伸ばし、腹部と腰部などの筋肉美を作って胸部を広げる効果を達成することが可能である。また、図４に示すように、本実施例は、伸展角度が１８０度を超えて、２２５度、さらに２５０度前後に達するため、もっとも好ましい伸展効果を達成することが可能である。
【００１７】
図６に示すのは、クランク８０により両足でペダルを踏む本実施例のもう一つの使用状態である。これにより、本実施例は、腹部と腰部と背骨とを伸展運動させるほかに、両足を往復回転運動させることで、脚部の筋肉美を作り、脚部の筋力を鍛えることが可能である。この時、使用者は、両手でバー１４またはハンドルバー３３を握ることが可能である。脚を回転運動させる場合、使用者は、クランク８０の高さと角度を調整することが可能である。この時、固定装置２３は係止状態を呈するため、連接座２０と底座１０とを移動させないように結合させることが可能である。また、伸展運動に戻る場合、固定ピン２３２を解放しさえすれば、再び連接座２０と活動座３０とを相対的に運動させることが可能である。
【００１８】
図７は、本実施例の折り畳まれている状態を示す模式図である。折り畳もうとする時、固定孔４１から差込ピン４２を取り出し、固定パイプ５０を上に回転させることで、底座１０をしまい、続いて、上方の固定孔に差込ピン４２を挿入すれば、完成する。これにより、体積を縮小し、大きな空間を占めないという効果を達成可能である。
【００１９】
上述をまとめてみると、本考案により掲示される構造は、以前からなく、所定の効果を確実に達成し、産業の使用に提供可能な点を有するため、実用新案登録請求の条件を満たす。
【００２０】
また、上述の図面及び説明は本考案の好ましい実施例に過ぎないため、この技術を熟知している人が本考案の主張の範疇に従って修正または同等の変化をすることはすべて本考案の請求範囲に含まれるべきである。
【図面の簡単な説明】
【００２１】
【図１】本考案の一実施例による健康器具の外観を示す斜視図である。
【図２】本考案の一実施例による健康器具を示す側面図である。
【図３】本考案の一実施例による健康器具の活動座と誘導ローラーが支持されている状態及び作動状態を示す模式図である。
【図４】本考案の一実施例による健康器具の使用状態を示す模式図である。
【図５】本考案の一実施例による健康器具の使用状態を示す模式図である。
【図６】本考案の一実施例による健康器具の使用状態を示す模式図である。
【図７】本考案の一実施例による健康器具の折り畳まれている状態を示す模式図である。
【符号の説明】
【００２２】
１０  底座、１１  凸耳部、１２  連接ユニット、１３  誘導ローラー、１４  バー、１５  着地棒、２０  連接座、２１  連接ユニット、２２  マッサージローラー、２３  固定装置、３０  活動座、３１  補助パイプ、３２  クッション、３３  ハンドルバー、４０  角度調整座、４１  固定孔、４２  差込ピン、５０  固定パイプ、６０  延伸パイプ、６１  横棒、６２  第一回転つまみ、６３  第二回転つまみ、６４  着地棒、７０  伸縮パイプ、８０  クランク、２３１  ?形塊部、２３２  固定ピン
【図１】
0003115112.tif 000003
【図２】
0003115112.tif 000004
【図３】
0003115112.tif 000005
【図４】
0003115112.tif 000006
【図５】
0003115112.tif 000007
【図６】
0003115112.tif 000008
【図７】
0003115112.tif 000009